(57)【特許請求の範囲】
【請求項１】
導電部材が被加熱材の幅方向を周回するように巻回され且つ入口側から出口側に前記被加熱材が挿通される加熱コイルと、
前記加熱コイルの入口側及び出口側のそれぞれに前記加熱コイルに対向して設置され且つ前記被加熱材の幅方向を周回するように巻回された閉ループ状のシールド銅管と、
前記加熱コイルの上下面に設置されたコの字型鉄心とを備え、
前記シールド銅管は、前記被加熱材の幅方向に対して、前記加熱コイルに近接する近接部と前記加熱コイルから遠ざかる遠隔部とが形成されてなることを特徴とする誘導加熱装置。
【請求項２】
前記コの字型鉄心は、前記加熱コイルの上下面で且つ前記被加熱材の温度を上昇させたい箇所に配置されることを特徴とする請求項１記載の誘導加熱装置。
【請求項３】
前記シールド銅管は、前記被加熱材の幅方向端部に前記近接部が形成され、前記被加熱材の幅方向中央部に前記遠隔部が形成されていることを特徴とする請求項１又は請求項２記載の誘導加熱装置。
【請求項４】
前記シールド銅管は、前記被加熱材の幅方向端部に前記遠隔部が形成され、前記被加熱材の幅方向中央部に前記近接部が形成されていることを特徴とする請求項１又は請求項２記載の誘導加熱装置。
【発明の詳細な説明】
【技術分野】
【０００１】
本発明は、例えば鉄鋼用熱間圧延ラインのような製鋼ラインに設置され、搬送される被加熱材を連続的に加熱する誘導加熱装置に関する。
【背景技術】
【０００２】
誘導加熱装置は、交流電源に接続された加熱コイルを被加熱材の周辺に配置し、鎖交磁束により誘起される渦電流のジュール熱で被加熱材を加熱する。この誘導加熱装置として銅管を巻回した加熱コイル内に被加熱材を通して加熱するソレノイド型誘導加熱装置が広く知られている。
【０００３】
図６、図７において、従来のソレノイド型誘導加熱装置を示す。図６は例えば特許文献１などに示された従来のソレノイド型誘導加熱装置の構成を示す側断面図である。図７は図６における誘導加熱装置を示す正面図である。加熱コイル３は、被加熱材１の幅方向を周回するように楕円形状に銅管を巻回して形成される。耐熱部材４は、加熱コイル３の内側に配置され、被加熱材１の通路を形成する。コの字型鉄心５は、加熱コイル３の外側の磁路に沿って、被加熱材１の幅方向に複数個並設されている。
【０００４】
一般に、粗圧延された板状の被加熱材１は、テーブルローラ２によって搬送され次工程に送られる間に放熱して温度が低下する。そこで、誘導加熱装置を配置し、誘導加熱装置は、被加熱材１を加熱コイル３の内側に形成される通路内を通過させ、被加熱材１を誘導加熱することにより、搬送中の温度低下を補償している。
【０００５】
このように、従来のソレノイド型誘導加熱装置は、被加熱材１の搬送中の温度低下補償を目的としていた。しかしながら、磁束量は、加熱コイル３を形成する銅管近傍であるほど多いため、被加熱材１と加熱コイル３を形成する銅管との物理的な距離の遠近により、被加熱材幅方向で温度差が生じていた。
【０００６】
特に、パイプやビレットなどの鉄鋼製品を、ソレノイド型誘導加熱装置を用いて複数本同時加熱する場合においては、被加熱材幅方向中央部に位置するものよりも幅方向端部に位置するものが、加熱コイル３とパイプやビレットとが物理的に近距離にあった。このため、幅方向端部の鎖交磁束が多くなり加熱されやすい。これによって、幅方向の中央部と端部が均一に加熱されなかった。
【０００７】
加熱コイルを被加熱材周囲に巻回する形式の誘導加熱装置は多分野に亘り利用されており、上記のように複数の長尺形状の被加熱材を取り扱う際の幅方向均熱化を図った誘導加熱装置が提案されている（例えば、特許文献２）。
【０００８】
特許文献２では、光学レンズ等の製造工程において、母型の周囲を巻回する加熱コイルを有するモールドプレス成型装置を用いている。均熱性確保のために、従来発熱量の小さい位置（幅方向中央部）では加熱コイルを被加熱材に接近させ、従来発熱量の大きい位置（幅方向端部）では加熱コイルを被加熱材から遠ざける形状としている。
【０００９】
また、特許文献２は、被加熱材の発熱量に応じて加熱コイルの接近量を調整可能とし、これにより、被加熱材の温度制御をきめ細かく行えることを特長としている。
【先行技術文献】
【特許文献】
【００１０】
【特許文献１】特開平１０−１３４９４９号公報
【特許文献２】特開２００４―２６９３３９号公報
【発明の概要】
【発明が解決しようとする課題】
【００１１】
しかしながら、特許文献２の目的は、あくまでも複数の長尺形状の被加熱材の均熱達成であり、幅方向の温度分布を制御すること、例えば端部や中央部などの特定部位の温度を上げるような特長までは持ち合わせていない。
【００１２】
また、従来のソレノイド型誘導加熱装置では、被加熱材幅方向中央部に位置する部分よりも幅方向端部に位置する部分が、加熱コイルを形成する銅管と近くなり、幅方向端部の鎖交磁束が多くなるため、被加熱材幅方向における端部と中央部で加熱温度に温度差が生じていた。
【００１３】
本発明は上記課題を解決するためになされたものであり、被加熱材の幅方向の均熱を図るとともに、幅方向中央部・端部の昇温、変熱を含めた幅方向温度制御を達成する誘導加熱装置を提供することにある。
【課題を解決するための手段】
【００１４】
上記課題を解決するために、本発明における誘導加熱装置は、以下のような手段を有している。
【００１５】
請求項１記載の誘導加熱装置は、導電部材が被加熱材の幅方向を周回するように巻回され且つ入口側から出口側に前記被加熱材が挿通される加熱コイルと、前記加熱コイルの入口側及び出口側のそれぞれに前記加熱コイルに対向して設置され且つ前記被加熱材の幅方向を周回するように巻回された閉ループ状のシールド銅管と、前記加熱コイルの上下面に設置されたコの字型鉄心とを備え、前記シールド銅管は、前記被加熱材の幅方向に対して、前記加熱コイルに近接する近接部と前記加熱コイルから遠ざかる遠隔部とが形成されてなることを特徴とする。
【００１６】
請求項２記載の前記コの字型鉄心は、前記加熱コイルの上下面で且つ前記被加熱材の温度を上昇させたい箇所に配置されることを特徴とする。
【００１７】
請求項３記載の前記シールド銅管は、前記被加熱材の幅方向端部に前記近接部が形成され、前記被加熱材の幅方向中央部に前記遠隔部が形成されていることを特徴とする。
【発明の効果】
【００１８】
請求項１に係る誘導加熱装置によれば、被加熱材の幅方向を周回するように巻回された閉ループ状のシールド銅管が加熱コイルと近接する近接部は、シールド銅管に、加熱コイルに流れる電流とは逆向きの誘起電流が流れることにより被加熱材の鎖交磁束を弱める。加熱コイルから遠ざかる遠隔部は、シールド銅管に流れる逆向きの誘起電流が被加熱材の鎖交磁束量に影響を及ぼさない十分な距離を持たせることで、加熱に寄与する鎖交磁束量を幅方向で調節することにより被加熱材幅方向の温度を制御できる。
【００１９】
本発明の請求項２に係る誘導加熱装置において、加熱コイル上下面にコの字型鉄心を配置することにより、その部分の磁束量を集中でき、その部分の被加熱材温度をより上昇させることができる。
【００２０】
例えば、被加熱材幅方向中央部を、より昇温させたいとき、コの字型鉄心を加熱コイル上下面の中央部に配置することにより幅方向中央部の加熱に寄与する磁束量が増え、幅方向中央部の昇温が可能となる。
【図面の簡単な説明】
【００２１】
【図１】本発明における第１の実施の形態に係る鉄鋼用ソレノイド型誘導加熱装置を示す斜視図である。
【図２】本発明における第１の実施の形態に係る鉄鋼用ソレノイド型誘導加熱装置の通電方向と磁束方向を説明するための上面図である。
【図３】本発明における第１の実施の形態に係る鉄鋼用ソレノイド型誘導加熱装置の幅方向中央部と幅方向端部の通電方向と磁束方向を説明するための側面図である。
【図４】本発明における第１の実施の形態に係る鉄鋼用ソレノイド型誘導加熱装置の幅方向中央部の通電方向と磁束方向を説明するための斜視図である。
【図５】本発明における第２の実施の形態に係る鉄鋼用ソレノイド型誘導加熱装置を示す斜視図である。
【図６】従来の鉄鋼用ソレノイド型誘導加熱装置を示す側断面図である。
【図７】従来の鉄鋼用ソレノイド型誘導加熱装置を示す正面図である。
【発明を実施するための形態】
【００２２】
（第１の実施の形態）
以下、本発明に係る第１の実施の形態のソレノイド型誘導加熱装置を図１〜図４に基づいて詳細に説明する。
【００２３】
図１は、本発明における第１の実施の形態に係る鉄鋼用ソレノイド型誘導加熱装置を示す斜視図である。図１において、加熱コイル３は、電流が流れる導電部材としての銅管が図３に示す被加熱材１を覆うように複数巻回され、コイル入口側からコイル出口側に被加熱材１が挿通されるようになっている。
【００２４】
図１では、被加熱材１の幅方向端部と加熱コイル３の物理的距離の近さによる加熱特性を是正するために、被加熱材１の幅方向の鎖交磁束量を調整するためのコの字型鉄心５と、凸型シールド銅管６とが配置されている。
【００２５】
コの字型鉄心５は、加熱コイル３の上下面で且つ被加熱材１の温度を上昇させたい箇所に配置されている。
【００２６】
凸型シールド銅管６は、加熱コイル３の入口側及び出口側（開口部分）に配置され、被加熱材１の幅方向に対して、加熱コイル３に近接する近接部６ａと加熱コイル３から遠ざかる遠隔部６ｂとが形成されてなる。図１に示す例では、シールド銅管６は、被加熱材１の幅方向端部に近接部６ａが形成され、被加熱材１の幅方向中央部に遠隔部６ｂが形成されている。
【００２７】
図２は、加熱コイル３の通電方向を一方向に仮定した場合の、加熱コイル３及び凸型シールド銅管６に流れる電流方向と磁束方向を示した上面図である。図３は、加熱コイル３の通電方向を一方向に仮定した場合の、加熱コイル３及び凸型シールド銅管６に流れる電流方向と磁束方向を示した側面図である。なお、図３では凸型シールド銅管６の幅方向端部の効果を明確化するため、幅方向中央部のコの字型鉄心５は図示していない。
【００２８】
この例では、凸型シールド銅管６により加熱コイル３と近接する近接部６ａが被加熱材１の幅方向端部に形成される。幅方向端部では、加熱コイル３に流れる電流Ｉａの変化により磁束Φ１が発生し、電流Ｉａにより凸型シールド銅管６に流れる逆向きの誘起電流Ｉｂが誘起され、逆向きの誘起電流Ｉｂにより磁束Φ２が発生する。このため、被加熱材１の鎖交磁束Φ１，Φ２が図２、図３の円枠部で相殺方向となることで弱まる。
【００２９】
一方、加熱コイル３から遠ざかる遠隔部６ｂは、幅方向中央部に形成されることにより、凸型シールド銅管６に流れる逆向きの誘起電流Ｉｂが被加熱材１の中央部の鎖交磁束量においては影響を及ぼさない。即ち、シールド銅管６に流れる逆向きの誘起電流Ｉｂが被加熱材１の鎖交磁束量に影響を及ぼさない十分な距離を持たせることにより、幅方向中央部では、磁束が幅方向端部よりも効率的に被加熱材１に鎖交され、幅方向中央部の温度は上昇する。即ち、加熱に寄与する鎖交磁束量を被加熱材１の幅方向で調節することにより被加熱材１の幅方向の温度を制御できる。
【００３０】
図４は幅方向中央部の通電方向と磁束方向を説明するための斜視図である。コの字型鉄心５を被加熱材１の幅方向中央部に配置したことにより、被加熱材１の幅方向中央部の磁束は幅方向端部より効率的に被加熱材１に鎖交され、幅方向中央部の温度は上昇する。
【００３１】
このように、実施例１のソレノイド型誘導加熱装置によれば、加熱コイル３に近接する近接部６ａと加熱コイル３から遠ざかる遠隔部６ｂを有するシールド銅管６と、コの字型鉄心５とを備えたので、被加熱材の幅方向の均熱を図るとともに、被加熱材１の幅方向の温度分布を柔軟に制御でき、例えば端部や中央部などの特定部位の温度を上げることもできる。
【００３２】
（第２の実施の形態）
図５は、本発明における第２の実施の形態に係る鉄鋼用ソレノイド型誘導加熱装置を示す斜視図である。第２の実施の形態は、シールド銅管６Ａは、被加熱材１の幅方向端部に遠隔部６ｄが形成され、被加熱材１の幅方向中央部に近接部６ｃが形成されている。また、コの字型鉄心５Ａを加熱コイル３の両端部の上下面に配置している。
【００３３】
このように、実施例２の誘導加熱装置によれば、幅方向中央部に形成された近接部６ｃを加熱コイル３と近接させ、幅方向端部に形成された遠隔部６ｄを加熱コイル３と遠ざかる形状となる、いわば凹型のシールド銅管６Ａを加熱コイル３の入出口側双方に配置することにより、幅方向中央部の加熱を抑制することができる。
【００３４】
また、コの字型鉄心５Ａを加熱コイル３の両端分の上下面に配置することにより、幅方向端部の温度を上昇させることができる。
【００３５】
なお、本発明は、シールド銅管６の被加熱材１の幅方向に対する凹凸形状の位置については幅方向中央部や幅方向端部の位置に限定されることなく、幅方向のその他の位置であっても良い。
【産業上の利用可能性】
【００３６】
本発明は、鉄鋼用熱間圧延ラインで運用される誘導加熱装置に適用可能である。
【符号の説明】
【００３７】
１  被加熱材
２  テーブルローラ
３  加熱コイル
４  耐熱部材
５  コの字型鉄心
６  凸型シールド銅管
６ａ，６ｃ 近接部
６ｂ，６ｄ  遠隔部
【図１】
0005659094.tif 000002
【図２】
0005659094.tif 000003
【図３】
0005659094.tif 000004
【図４】
0005659094.tif 000005
【図５】
0005659094.tif 000006
【図６】
0005659094.tif 000007
【図７】
0005659094.tif 000008